(57)【要約】【課題】フレキ管の径が変化しても、用意する保護管の種類や用意する配管用防水キャップの種類も減少させることができる配管用防水キャップを提供する。【解決手段】ガスメータに接続されるフレキ管３に外嵌する筒状の小径側外嵌部ＫＡと、フレキ管３を覆う保護管４に外嵌する筒状の大径側外嵌部ＫＢとが、フレキ管の長手方向に並ぶ状態に合成樹脂にて一体成形され、小径側外嵌部ＫＡが、径が異なる複数の筒状の外嵌部分７を、径が大きなものほど大径側外嵌部ＫＢに近づける形態で且つフレキ管３の長手方向に並ぶ形態で備えている。【選択図】図４
2018031462.tif 000002
【特許請求の範囲】
【請求項１】
ガスメータに接続されるフレキ管に外嵌する筒状の小径側外嵌部と、前記フレキ管を覆う保護管に外嵌する筒状の大径側外嵌部とが、前記フレキ管の長手方向に並ぶ状態に合成樹脂にて一体成形される配管用防水キャップであって、
前記小径側外嵌部が、径が異なる複数の筒状の外嵌部分を、径が大きなものほど前記大径側外嵌部に近づける形態で且つ前記フレキ管の長手方向に並ぶ形態で備えている配管用防水キャップ。
【請求項２】
複数の前記外嵌部分のうちの、他の外嵌部分が前記大径側外嵌部から離れる側の端部に連なる外嵌部分の表面における前記大径側外嵌部から離れる側の端部側箇所に、周方向に沿う切断用線が形成されている請求項１記載の配管用防水キャップ。
【請求項３】
前記大径側外嵌部と前記小径側外嵌部とが、前記小径側外嵌部に近づくほど小径となる円錐台状の接続筒部にて接続され、
複数の前記外嵌部分のうちの隣接する外嵌部分が、小径側の外嵌部分に近づくほど小径となる円錐台状の筒部分にて接続されている請求項１又は２記載の配管用防水キャップ。
【発明の詳細な説明】
【技術分野】
【０００１】
本発明は、ガスメータに接続されるフレキ管に外嵌する筒状の小径側外嵌部と、前記フレキ管を覆う保護管に外嵌する筒状の大径側外嵌部とが、前記フレキ管の長手方向に並ぶ状態に合成樹脂にて一体成形される配管用防水キャップに関する。
【背景技術】
【０００２】
ガスメータにガスを流入するガス流入管やガスメータから外部にガスを排出するガス排出管を、保護管にて覆われたフレキ管（フレキシブル管）にて構成することがあり、この場合には、フレキ管に外嵌する筒状の小径側外嵌部と保護管に外嵌する筒状の大径側外嵌部とが一体成形される配管用防水キャップを、フレキ管と保護管とに亘って装着することになる（例えば、特許文献１参照。）
【０００３】
特許文献１には、配管用防水キャップについての詳細な説明が省略されているが、大径側外嵌部を保護管の端部に外嵌させ、かつ、小径側外嵌部を保護管の端部から突出するフレキ管に外嵌させる状態で配管用防水キャップを装着することにより、フレキ管の外面と保護管の内面との間を通して、水等の異物が保護管の内部に侵入することを防止する。
【先行技術文献】
【特許文献】
【０００４】
【特許文献１】特開平１１‐２８７６９３号公報
【発明の概要】
【発明が解決しようとする課題】
【０００５】
フレキ管として、流動させるガス量に応じて種々の径のものが使用されることになる。この場合、フレキ管の径に合わせて、種々の径の保護管を用いるようにすると、配管用防水キャップも、小径側外嵌部や大径側外嵌部の径が異なる種々のものを用意する必要があり、ガスメータに対する配管用部材として、種々の径の保護管や、種々の径の配管用防水キャップを用意しなければならない不利がある。
【０００６】
本発明は、上記実情に鑑みて為されたものであって、フレキ管の径が変化しても、用意する保護管の種類や用意する配管用防水キャップの種類を減少させることができる配管用防水キャップを提供する点にある。
【課題を解決するための手段】
【０００７】
本発明は、ガスメータに接続されるフレキ管に外嵌する筒状の小径側外嵌部と、前記フレキ管を覆う保護管に外嵌する筒状の大径側外嵌部とが、前記フレキ管の長手方向に並ぶ状態に合成樹脂にて一体成形される配管用防水キャップであって、その特徴構成は、
前記小径側外嵌部が、径が異なる複数の筒状の外嵌部分を、径が大きなものほど前記大径側外嵌部に近づける形態で且つ前記フレキ管の長手方向に並ぶ形態で備えている点にある。
【０００８】
すなわち、小径側外嵌部が、径が異なる複数の外嵌部分を備えているから、複数の外嵌部分のうち、最も径が小さな外嵌部分の径が、使用対象のフレキ管に対応している場合には、小径側外嵌部をそのまま使用し、複数の外嵌部分のうち、最も径が小さな外嵌部分よりも大径側外嵌部に近い側の外嵌部分の径が、使用対象のフレキ管に対応している場合には、対応している外嵌部分よりも小径側の外嵌部分を切り離して、対応している外嵌部分を使用するようにする。
【０００９】
したがって、大径側外嵌部を１つの種類（径）の保護管に外嵌させるようにしながら、複数の外嵌部分から使用する外嵌部分を選択することにより、小径側外嵌部を径が異なる複数種のフレキ管に外嵌させることができるものとなり、その結果、フレキ管の径が変化しても、用意する保護管の種類を減少させ、しかも、用意する配管用防水キャップの種類を減少させることができる。
【００１０】
要するに、本発明の配管用防水キャップの特徴構成によれば、フレキ管の径が変化しても、用意する保護管の種類や用意する配管用防水キャップの種類を減少させることができる。
【００１１】
本発明の配管用防水キャップの更なる特徴構成は、複数の前記外嵌部分のうちの、他の外嵌部分が前記大径側外嵌部から離れる側の端部に連なる外嵌部分の表面における前記大径側外嵌部から離れる側の端部側箇所に、周方向に沿う切断用線が形成されている点にある。
【００１２】
すなわち、複数の外嵌部分のうちの、他の外嵌部分が大径側外嵌部から離れる側の端部に連なる外嵌部分の表面における大径側外嵌部から離れる側の端部側箇所に、周方向に沿う切断用線が形成されているから、不要となる他の外嵌部分を切り離すときに、この切断用線に沿って外嵌部分を切断することにより、不要となる他の外嵌部分の切り離しを良好に行うことができる。
【００１３】
つまり、切断用線を、不要となる他の外嵌部分を切り離すために外嵌部分を切断したときに、切断した外嵌部分の長さが適正な長さとなる位置に形成しておけば、外嵌部分を切断するときに、外嵌部分の長さ方向の中央箇所を切断して、切断した外嵌部分の長さが短くなるようなことがなくなるため、不要となる他の外嵌部分の切り離しを良好に行うことができる。
【００１４】
要するに、本発明の配管用防水キャップの更なる特徴構成によれば、不要となる他の外嵌部分の切り離しを良好に行うことができる。
【００１５】
本発明の配管用防水キャップの更なる特徴構成は、前記大径側外嵌部と前記小径側外嵌部とが、前記小径側外嵌部に近づくほど小径となる円錐台状の接続筒部にて接続され、
複数の前記外嵌部分のうちの隣接する外嵌部分が、小径側の外嵌部分に近づくほど小径となる円錐台状の筒部分にて接続されている点にある。
【００１６】
すなわち、大径側外嵌部と小径側外嵌部とが、小径側外嵌部に近づくほど小径となる円錐台状の接続筒部にて接続されているから、フレキ管を大径側外嵌部と小径側外嵌部とに亘って挿通させる際に、フレキ管が大径側外嵌部から小径側外嵌部に向けて移動する状態にすれば、円錐台状の接続筒部の案内作用により、フレキ管を大径側外嵌部から小径側外嵌部に向けて円滑に移動させることができる。
【００１７】
また、複数の外嵌部分のうちの隣接する外嵌部分が、小径側の外嵌部分に近づくほど小径となる円錐台状の筒部分にて接続されているから、フレキ管を複数の外嵌部分に亘って挿通させる際に、フレキ管が大径側の外嵌部分から小径側の外嵌部分に向けて移動する状態にすれば、円錐台状の筒部分の案内作用により、フレキ管を大径側の外嵌部分から小径側の外嵌部分に向けて円滑に移動させることができる。
【００１８】
要するに、本発明の配管用防水キャップの更なる特徴構成によれば、フレキ管の挿通を良好に行うことができる。
【図面の簡単な説明】
【００１９】
【図１】ガスメータの装着部の正面図
【図２】配管用防水キャップの装着部の一部切欠側面図
【図３】配管用防水キャップの一部切欠側面図
【図４】配管用防水キャップの装着部の一部切欠側面図
【図５】別形態の配管用防水キャップの一部切欠側面図
【図６】別形態の配管用防水キャップの一部切欠側面図
【図７】別形態の配管用防水キャップの一部切欠側面図
【図８】別形態の配管用防水キャップの一部切欠側面図
【発明を実施するための形態】
【００２０】
以下、本発明の実施形態を図面に基づいて説明する。
（ガスメータの装着部の構成）
図１に示すように、ガスメータＧのガス流入管部１及びガス排出管部２に、ガス流入用やガス流出用のフレキ管３が接続され、ガス流出用のフレキ管３を通して、家庭内にガスが供給されるように構成されている。
【００２１】
図２に示すように、本実施形態においては、フレキ管３が、金属製の管本体３Ａと当該管本体３Ａに外嵌着される樹脂製の被覆用筒部３Ｂとから構成されているが、被覆用筒部３Ｂを省略する形態でフレキ管３を構成してもよい。
また、フレキ管３が、合成樹脂製の蛇腹状の保護管（ＣＤ管）４にて覆われ、保護管４の端部には、配管用防水キャップＫが設けられており、この配管用防水キャップＫの詳細は後述する。
【００２２】
本実施形態においては、ガス流入側のフレキ管３が、地中のガス管に直接接続され、ガスメータＧのガス流入管部１にコックが設けられる場合を例示するが、地中のガス管から分岐されて地上に露出するガス導入用の分岐管に対して、ガス流入用のフレキ管３を接続する形態で実施してもよい。
尚、図示は省略するが、配管用防水キャップＫは、保護管４の両端部の夫々に対応させて設けられることになる。
【００２３】
（配管用防水キャップの詳細）
図３に示すように、配管用防水キャップＫは、フレキ管３に外嵌する筒状の小径側外嵌部ＫＡと、フレキ管３を覆う保護管４に外嵌する筒状の大径側外嵌部ＫＢとが、フレキ管３の長手方向に並ぶ状態に合成樹脂（例えば、塩化ビニール樹脂、熱可塑性エラストマー等）にて一体成形されている。
【００２４】
そして、小径側外嵌部ＫＡが、径が異なる複数（本実施形態では２つ）の筒状の外嵌部分７を、径が大きなものほど大径側外嵌部に近づける形態で且つフレキ管３の長手方向に並ぶ形態で備えている。
本実施形態の配管用防水キャップＫは、大径側外嵌部ＫＢの内径が、呼び口径が２５Ａの保護管４に対応させて４２ｍｍであり、２つの外嵌部分７のうちの大径側の外嵌部分７の内径が、呼び口径が２５Ａのフレキ管３に対応させて３１.５ｍｍであり、小径側の外嵌部分７の内径が、呼び口径が２０Ａのフレキ管３に対応させて２５ｍｍである。
【００２５】
ちなみに、本実施形態においては、図２及び図４に示すように、小径側外嵌部ＫＡの外嵌部分７が、フレキ管３に対して密着状態で外嵌し、同様に、大径側外嵌部ＫＢが、保護稈（ＣＤ管）４に対して密着状態で外嵌する形態に構成されている。
つまり、小径側外嵌部ＫＡの外嵌部分７がフレキ管３に対して密着状態で外嵌し、大径側外嵌部ＫＢが、保護管（ＣＤ管）４に対して密着状態で外嵌することにより、雨水等の侵入を抑制し、かつ、フレキ管３及び保護管（ＣＤ管）４に対して配管用防水キャップＫを位置決めするように構成されている。
【００２６】
また、複数の外嵌部分７のうちの、他の外嵌部分７が大径側外嵌部ＫＢから離れる側の端部に連なる外嵌部分７の表面における大径側外嵌部ＫＢから離れる側の端部側箇所に、周方向に沿う切断用線Ｌが形成されている。
つまり、本実施形態では、２つの外嵌部分７のうちの、大径側外嵌部ＫＢに隣接する外嵌部分７の表面に、切断用線Ｌが形成されている。
【００２７】
切断用線Ｌとしては、連続する凹溝状や断続する凹溝状に形成することができ、また、着色材にて、配管用防水キャップＫの表面とは異なる色となる状態で、連続する線状や断続する線状に形成することもできる。
【００２８】
本実施形態においては、保護管４の呼び口径が２５Ａであり、フレキ管３の呼び口径が２５Ａであるため、配管用防水キャップＫの大径側外嵌部ＫＢを、保護管４に外嵌着させることができ、小径側外嵌部ＫＡの２つの外嵌部分７のうちの大径側の外嵌部分７を、フレキ管３に外嵌着させることができる。
【００２９】
したがって、大径側の外嵌部分７を切断用線Ｌにて切断して、小径側の外嵌部分７を切り離し、大径側の外嵌部分７を備える配管用防水キャップＫを、図２に示すように、小径側外嵌部ＫＡを保護管４から突出するフレキ管３に外嵌させかつ大径側外嵌部ＫＢを保護管４に外嵌させる状態で、保護管４の端部に装着する。
【００３０】
また、本実施形態の配管用防水キャップＫは、小径側の外嵌部分７の内径が、呼び口径が２０Ａのフレキ管３に対応させて２５ｍｍであるから、図４に示すように、呼び径が２０Ａのフレキ管３の場合には、小径側の外嵌部分７を備える配管用防水キャップＫを、小径側外嵌部ＫＡを保護管４から突出するフレキ管３に外嵌させかつ大径側外嵌部ＫＢを保護管４に外嵌させる状態で、保護管４の端部に装着することになる。
【００３１】
また、大径側外嵌部ＫＢと小径側外嵌部ＫＡとが、小径側外嵌部ＫＡに近づくほど小径となる円錐台状の接続筒部８にて接続され、２つの外嵌部分７が、小径側の外嵌部分７に近づくほど小径となる円錐台状の筒部分９にて接続されており、フレキ管３を配管用防水キャップＫの内部に挿入する際に、大径側外嵌部ＫＢから小径側外嵌部ＫＡに向けてフレキ管３を移動させるようにすれば、接続筒部８や筒部分９の案内作用により、フレキ管３の挿入を良好に行えることになる。
【００３２】
つまり、図７に示すように、大径側外嵌部ＫＢと小径側外嵌部ＫＡとの接続部８ａや隣接する外嵌部分７の接続部分９ａを、段部状に形成することができるが、この場合、フレキ管３を配管用防水キャップＫの内部に挿入する際に、フレキ管３の先端が、段部状の接続部８ａや接続部分９ａに引っ掛かり易くなる。
【００３３】
ちなみに、切断用線Ｌが、円錐台状の筒部分９から外れた外嵌部分７に形成されることにより、外嵌部分７の径方向での厚みが筒部分９よりも小さいため、外嵌部分７の切断が行い易く、また、切断後において、外嵌部分７の形状を、適正な筒状にできる。
つまり、切断用線Ｌが円錐台状の筒部分９に対応する部分に形成されていると、外嵌部分７の切断を行い難いばかりでなく、切断後において、外嵌部分７の先端部が先細り状になる等、外嵌部分７の形状を適正な筒状にすることができないものとなる。
【００３４】
〔別実施形態〕
次に、別実施形態を列記する。
（１）上記実施形態では、２つの外嵌部分７のうちの大径側の外嵌部分７の内径が、呼び口径が２５Ａのフレキ管３に対応させて３１.５ｍｍであり、小径側の外嵌部分７の内径が、呼び口径が２０Ａのフレキ管３に対応させて２５ｍｍである場合を例示したが、図５に示すように、２つの外嵌部分７のうちの大径側の外嵌部分７の内径を、呼び口径が２０Ａのフレキ管３に対応させて２５ｍｍにし、小径側の外嵌部分７の内径を、呼び口径が１５Ａのフレキ管３に対応させて１９ｍｍにする等、外嵌部分７の内径は、使用対象のフレキ管３に合わせて種々変更できる。
【００３５】
（２）上記実施形態では、小径側外嵌部ＫＡに２つの外嵌部分７を備えさせる場合を例示したが、図６に示すように、３つの外嵌部分７を備えさせるようにする等、小径側外嵌部ＫＡに備えさせる外嵌部分７の個数は種々変更できる。
ちなみに、図６に例示する３つの外嵌部分７は、大径側の外嵌部分７の内径を、呼び口径が２５Ａのフレキ管３に対応させて３１.５ｍｍにし、中間の径の外嵌部分７の内径を、呼び口径が２０Ａのフレキ管３に対応させて２５ｍｍにし、小径側の外嵌部分７の内径を、呼び口径が１５Ａのフレキ管３に対応させて１９ｍｍにしてある。
【００３６】
（３）上記実施形態では、大径側外嵌部ＫＢの内径を、呼び口径が２５Ａの保護管４に対応させて４２ｍｍにする場合を例示したが、大径側外嵌部ＫＢの内径は、保護管４の大きさに合わせて変更できる。
【００３７】
（４）上記実施形態では、大径側外嵌部ＫＢを保護管（ＣＤ管）４に対して密着状態で外嵌させることにより、保護管（ＣＤ管）４に対して配管用防水キャップＫを位置決めするようにしたが、図８に示すように、大径側外嵌部ＫＢに、環状の凹部と凸部とが交互に並ぶ蛇腹状の保護管（ＣＤ管）４の凹部に係合する凸状の係合部１０を設けて、保護管（ＣＤ管）４に対して配管用防水キャップＫを位置決めするようにしてもよい。
【００３８】
つまり、大径側外嵌部ＫＢを保護管（ＣＤ管）４に対して密着状態で外嵌させることに加えて、係合部１０を設けるようにしてもよく、また、大径側外嵌部ＫＢを保護管（ＣＤ管）４に対して遊嵌状態（遊びを持って緩やかに外嵌する状態）で外嵌させる形態で、係合部１０を設けるようにしてもよい。
尚、係合部１０は、全周に亘って連なる環状に形成することが好ましいが、周方向に沿って断続的に存在する形態で形成してもよく、また、周方向の一部の範囲にのみ形成する形態で実施してもよい。
【００３９】
尚、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【符号の説明】
【００４０】
３      フレキ管
７      外管部分
８      接続筒部
９      筒部分
Ｇ      ガスメータ
ＫＡ    小径側外嵌部
ＫＢ    大径側外管部
Ｌ      切断用線
【図１】
2018031462.tif 000003
【図２】
2018031462.tif 000004
【図３】
2018031462.tif 000005
【図４】
2018031462.tif 000006
【図５】
2018031462.tif 000007
【図６】
2018031462.tif 000008
【図７】
2018031462.tif 000009
【図８】
2018031462.tif 000010